(57)【要約】【課題】音声データを高速に再生し、圧縮処理を施して記録するダビング動作において、ダビング動作を行いながら記録する音声データの内容を判別可能とする。【解決手段】高速ダビング指示信号１１９が制御手段１０４に入力されると、音声データ再生手段１０１で音声データ１１０を通常速度で再生し、モニタ手段１０５で信号処理を施し、音声出力１１６を出力する。所定時間経過後、いったん再生を停止した後、再度先頭から今度はより高速な速度で音声データ再生手段１０１から音声データ１１０の再生を開始し、音声データ圧縮手段１０２で圧縮処理を受けた圧縮データ１１１を圧縮データ記録手段１０３で記録される。【選択図】図１
2005327373.tif 000002
【特許請求の範囲】
【請求項１】
第１の記録媒体に記録されている音声データを再生する再生手段と、前記再生手段で再生された前記音声データに圧縮処理を施して圧縮データを生成する圧縮手段と、前記圧縮手段で生成された圧縮データを第２の記録媒体に記録する記録手段とを備え、前記再生手段は音声データの先頭から所定時間だけ第１の再生速度で再生した後、音声データを第２の再生速度で再生し、前記圧縮手段で圧縮処理を施した後に前記第２の記録媒体に記録することを特徴とする、記録再生装置。
【請求項２】
前記音声データ再生手段から出力される再生データのレベルを検出するレベル検出手段を更に備え、前記再生手段は音声データを第２の再生速度で再生し、前記圧縮手段で圧縮処理を施した後に前記第２の記録媒体に記録し、音声データの、最大のレベルを持つデータ部分を前記再生手段が第１の再生速度で再生することを特徴とする、請求項１に記載の記録再生装置。
【請求項３】
第１の再生速度は、聴取者が音声データの内容を判別できる再生速度であり、第２の速度は、第１の再生速度よりも高速であることを特徴とする、請求項１または請求項２に記載の記録再生装置。
【発明の詳細な説明】
【技術分野】
【０００１】
本発明は、圧縮された音声データを通常再生速度よりも高速でダビングする記録再生装置に関するものである。
【背景技術】
【０００２】
音声データを記録した記録媒体から再生装置でデータを読み出し、記録装置へデータを転送し、そのデータを記録装置で別の記録媒体へ記録するダビング操作は一般的に行われている。現在では、音声データを通常の再生速度以上の速度でダビングを行う装置や、デジタル化した音声データにＭＰＥＧ（Ｍｏｖｉｎｇ  Ｐｉｃｔｕｒｅ  Ｅｘｐｅｒｔｓ  Ｃｏｄｉｎｇ  Ｇｒｏｕｐ）やＡＴＲＡＣ（Ａｄａｐｔｉｖｅ  Ｔｒａｎｓｆｏｒｍ  Ａｃｏｕｓｔｉｃ  Ｃｏｄｉｎｇ）などのような圧縮処理を施して記録媒体に記録するダビング方式を採用した商品が販売されている。
【０００３】
ダビングを行う際に、ダビングを行いながらも、再生信号を聴取したい場合がある。
【０００４】
通常の再生速度と同じ速度でダビングを行う場合には装置から記録装置へ転送する音声データを外部モニタすることで記録する音声データの聴取が可能である。
【０００５】
しかし高速ダビングの場合、高速になればなるほど転送中の音声データをモニタしても音声データの聴取および内容の判別が難しくなり、逆に耳障りになりあえて再生音声を出力しない商品もある。このため高速ダビングを行う際には、ダビングの前にダビングする音楽データの内容をあらかじめ確認して曲目を選択したり、ダビングの後にダビングした音楽データを確認して不必要な音楽データを改めて消去したりする必要がある。
【０００６】
ダビングの最中に記録中の音楽データの聴取、判別が可能ならば、上記のような確認作業が不要になる。
【０００７】
図３に従来例の記録再生装置の構成図を示す。同図において、再生部３０１から例えば４倍速で音声データが再生される。これを圧縮処理部３０２で圧縮しながら記録媒体３０３内のデータ記録領域３０４に記録する。また、音声データは非圧縮のまま記録媒体３０３内のデータ記録領域とは別の一時記録領域３０５に記録される。一時記録領域３０５に記録された再生音楽データは、直ぐに読み出されて信号処理部３０６に供給される。ここでは、記録媒体３０３から通常の再生速度で読み出される。信号処理部３０６では、音楽データ再生に必要な処理が施されて、音声出力として出力される。これにより、高速でダビングしながらも、再生した音楽データを聴取することができる。
【特許文献１】特開２００３−２２８９０７号公報
【発明の開示】
【発明が解決しようとする課題】
【０００８】
従来例の構成は、音声データと圧縮データとを両方とも記録可能な記録媒体が構成要素になっているが、商品仕様や圧縮方式の規格等で圧縮データのみ記録可能で音声データは記録不可能な記録媒体も存在する。
【０００９】
このような場合には従来例のように非圧縮の音声データを一時的に記録媒体に記録することができず、同様の動作を行うためには一時記録用のメモリが別途必要となりコストが大きくかかる。
【００１０】
本発明は、圧縮データのみが記録可能な記録媒体への高速ダビング時に、大幅なコスト増を招くことなく高速ダビング時のデータ内容を簡単に判別する方法を備えた記録再生装置を提供するものである。
【課題を解決するための手段】
【００１１】
この課題を解決するために本発明の記録再生装置は、記録媒体に記録されている音楽データを通常の再生速度、もしくは高速で再生可能な音声データ再生手段と、音声データに圧縮処理を施し圧縮データを得る圧縮手段と、圧縮手段からの圧縮データを記録する記録手段と、音声データ再生手段の再生速度を制御する制御手段とを有し、ユーザから高速ダビングの指示が出されると、音声データの先頭から所定時間だけ通常再生速度で再生した後、再度音声データの先頭に戻って高速ダビングを行う。
【００１２】
本構成によって、ユーザは高速ダビングの指示を与えるだけで、音声データの高速ダビングの前に通常の再生速度でのデータ再生によってダビング中の音声データの内容を知ることができる。
【００１３】
また、本発明の記録再生装置は、音声データ再生手段から出力される再生データのレベルを検出するレベル検出手段とを更に有し、ユーザから高速ダビングの指示が出されると、まず高速ダビングを行い、再生音声データ中で最もレベルの大きな部分を検出し、ダビング終了後にそのデータ部分の前後を通常再生速度で所定時間だけ再生する。
【００１４】
本構成によって、ユーザは高速ダビング動作の指示を与えるだけで、音声データの高速ダビングの後に通常の再生速度でのデータ再生によってダビング中の音声データの内容を知ることができる。
【発明の効果】
【００１５】
本発明の記録再生装置によれば、音楽データを高速でダビングを行い、その前後に記録した音楽データの先頭や最大レベルを含む部分等、音楽データの内容を示す特徴的な部分を通常の再生速度で再生するので、記録中の音声データの判別が可能となり、ダビング開始前または終了後に別途音声データの内容の確認や編集等の手間が省けるという利点がある。
【発明を実施するための最良の形態】
【００１６】
以下本発明を実施するための最良の形態について、図面を参照しながら説明する。
【００１７】
（実施の形態１）
図１は、本発明の実施の形態１における再生記録装置のブロック図である。音声データ再生手段１０１はコンパクトディスクなど所定の媒体から音声データ１１０を通常の再生速度または倍速で再生する。音声データ再生手段１０１は、制御手段１０４からの制御信号１１２によって、音声データの再生、停止、次データの先頭へのスキップ、現在再生中及び一つ前の音声データの先頭へのバック、再生開始位置を任意のデータ分の移動等の動作が可能となる。また音声データ再生手段１０１は、制御手段１０４から指示された動作を終了させた時に、動作終了信号２２０を出力する。音声データ圧縮手段１０２は音声データ再生手段１０１で再生された音声データ１１０に所定の圧縮処理を施し、圧縮データ１１１を出力する。制御手段１０４からの制御信号１１４によって、圧縮処理の開始、停止が制御可能である。
【００１８】
圧縮データ記録手段１０３は音声データ圧縮手段１０２からの圧縮データ１１１を記録媒体に記録する。制御手段１０４からの制御信号１１３によって記録動作の開始、停止が制御可能である。
【００１９】
モニタ手段１０５は、音声データ１１０に信号処理を施して音声出力１１６を生成する。制御手段１０４からの制御信号１１６によって音声出力１１６のＯＮまたはＯＦＦが可能である。タイマ１０６は開始信号１１８が入力されてから所定時間経過後、タイマ信号１１９を出力する。
【００２０】
以上のように構成された記録再生装置について、図１を用いて、４倍速でダビングを行いながら再生音声データをモニタする場合の動作について説明する。
【００２１】
ユーザから高速ダビング動作の指示を示す制御信号１１９が入力されると、制御手段１０４は音声データ再生手段１０１に音声データの先頭からの通常の再生速度での再生を指示する制御信号１１２を出力する。次に制御手段１０４はモニタ手段１０５に音声データ１１０に信号処理を施して音声出力１１６を出力させるための制御信号１１６を出力する。更に制御手段１０４は開始信号１１７を送信してタイマ１０６を起動する。
【００２２】
所定時間が経過すると、タイマ１０６からタイマ信号１１８が制御手段１０４へ送出される。タイマ信号１１８を受信した制御手段１０４は、音声データ再生手段１０１の通常の再生速度再生動作を停止させる制御信号１１２を出力する。
【００２３】
次に制御手段１０４は、音声データ再生手段１０１に４倍速で音声データを先頭から再生するように制御信号１１２を出力する。そして、制御手段１０４はモニタ手段１０５が音声出力１１６を出力しないように制御信号１１５で指示する。更に音声データ圧縮手段１０２に圧縮処理を、圧縮データ記録手段１０３に記録動作を開始するようそれぞれ制御信号１１４、１１３を出力する。これによって、４倍速での音声データのダビング動作が開始される。この時、再生データ１１０はユーザにモニタされない。音声データ１１０の再生が終了すると、音声データ再生手段１０１は動作完了信号１２０を送出する。これを受信した制御手段１０４は制御信号１１４、１１３を通して圧縮処理、記録処理を終了させる。
【００２４】
ダビングする音声データが複数の場合には、音声データ毎にこれら一連の動作を繰り返す。
【００２５】
以上のようにかかる構成によれば、ユーザからの高速ダビング動作の指示に対して高速ダビングとデータの先頭のある一定時間の通常の再生速度での再生とを行うことにより、ユーザはダビング対象のデータの内容を知ることができ、ダビングを行う前後で別途音声データの内容を確認する手間を省くことができる。
【００２６】
本発明の構成要素の一つであるタイマ１０６は、従来の記録再生装置では制御手段１０４が既に具備しているか、また具備していなくとも、例えば制御手段の動作クロックのカウントといった形式で制御手段のソフトウェアの変更で実現可能なため、本発明を実現するために特別な手段は増設する必要なく、実現のためコストが少なくてすむ。
【００２７】
（実施の形態２）
図２は、本発明の実施の形態２における再生記録装置のブロック図である。図２において、音声データ再生手段２０１、音声データ圧縮手段２０２、圧縮データ記録手段２０３、制御手段２０４、モニタ手段２０５、タイマ２０６、音声データ２１０、圧縮データ２１１、制御信号２１２、２１３、２１４、２１５、音声出力２１６、開始信号２１７、タイマ信号２１８は夫々、図１の音声データ再生手段１０１、音声データ圧縮手段１０２、圧縮データ記録手段１０３、制御手段１０４、モニタ手段１０５、タイマ１０６、音声データ１１０、圧縮データ２１１、制御信号１１２、１１３、１１４、１１５、音声出力１１６、開始信号１１７、タイマ信号１１８と同じであるため、ここでは説明を省略する。レベル検出手段２０７は、制御信号２２２によって起動され、起動中音声データ２１０のレベルを測定し、最大レベルが更新されると起動開始時から最大レベルを検出した時までの経過時間を記憶する。制御信号２２２によってレベル検出動作が終了されると、起動開始から最大レベル検出までの時間データ２２１を出力する。
【００２８】
以上のように構成された記録再生装置について、図２を用いて、４倍速でダビングを行いながら再生音声信号をモニタする場合の動作について説明する。
【００２９】
ユーザから高速ダビング動作の指示を示す制御信号２１９が入力されると、制御手段２０４は、制御信号２１２を出力して音声データ再生手段２０１に音声データの先頭から４倍速での再生を開始させ、更に制御信号２１４、２１３を出力して音声データ圧縮手段２０２及び圧縮データ記録手段２０３を起動する。また制御手段２０４は、モニタ手段２０５が音声出力２１６を出力しないように制御信号２１６を出力する。制御手段２０４は制御信号２２２を出力してレベル検出手段２０７を起動させる。
【００３０】
音声データ再生手段２０１から４倍速で音声データ２１０が転送される。レベル検出手段２０７は再生開始から音声データ２１０の最大レベルを測定し、最大レベルが更新されたときには再生開始からの時間を保持しておく。ダビングが完了すると音声データ再生手段２０１から動作終了信号２２０が出力される。制御手段２０４は動作終了信号２２０を受信すると、レベル検出手段２０７を停止させるために制御信号２２２を出力する。レベル検出手段２０７は再生開始後最大レベルが検出された時間から再生時間データ２２１を制御手段２０４へ転送する。制御手段２０４は、レベル検出手段２０７から受信した再生時間データ２２１を元に再生する音声データの先頭から移動させる距離を計測し、移動の指示と移動距離とを制御信号２１２で出力する。
【００３１】
音声データ再生手段２０１は、制御手段２０４から受信した移動距離だけ音声データの先頭から再生開始点を移動して通常の再生速度で再生を開始する。制御手段２０４はタイマ２０６へ制御信号２１７を送出し、タイマ２０６を起動させる。更に制御手段２０４は制御信号２１５を創出して、モニタ手段２０５を起動する。
【００３２】
再生音声データ２１０は音声出力２１６としてユーザにモニタされる。ここには、４倍速でのダビング中に検出した最大レベルデータが含まれている。所定時間が経過すると、タイマ２０６からタイマ信号２１８が制御手段２０４へ送出される。タイマ信号２１９を受信した制御手段２０４は、音声データ再生手段２０１に再生動作停止の指示を出す。
【００３３】
ダビングする音声データが複数の場合には、データ毎にこれら一連の動作を繰り返す。
【００３４】
以上のようにかかる構成によれば、ユーザからの高速ダビング指示に対して高速ダビングと最高レベルデータを含むある一定時間の音声データの通常速度再生とを行うことにより、ユーザはダビング対象のデータの内容を知ることができ、ダビングを行う前後で別途音声データの内容を確認する手間を省くことができる。
【００３５】
また、本発明で行われているレベル検出等は、例えばミニコンポでのレベルメータ表示を行うために、従来の記録再生装置では制御手段で通常行われている動作であるので、本発明を実現するために特別な手段は必要なく、実現のためのコストアップを極力少なくすることができる。
【産業上の利用可能性】
【００３６】
本発明にかかる記録再生装置は、音楽データの高速ダビング中に音楽データの内容を示す特徴的な部分を通常の再生速度で再生することで、記録中の音声データの判別が可能となり、別途音声データの内容の確認が省けるため、例えばミニコンポといったオーディオ製品等に有用となる。
【図面の簡単な説明】
【００３７】
【図１】本発明の実施の形態１に於ける記録再生装置の実施方法を示したブロック図
【図２】本発明の実施の形態２に於ける記録再生装置の実施方法を示したブロック図
【図３】従来の記録再生装置のブロック図
【符号の説明】
【００３８】
１０１    音声データ再生手段
１０２    音声データ圧縮手段
１０３    圧縮データ記録手段
１０４    制御手段
１０５    モニタ手段
１０６    タイマ
２０７    レベル検出手段
【図１】
2005327373.tif 000003
【図２】
2005327373.tif 000004
【図３】
2005327373.tif 000005